(57)【要約】【課題】  実装面積の低減、筐体サイズの小型化、コストの削減の効果を維持しつつ、ＬＥＤの劣化による弊害を少なくし、逆方向電圧印加による破壊からＬＥＤを保護する。【解決手段】  第１のＬＥＤ素子５１のアノードと第２のＬＥＤ素子５２のカソードとが接続され、第１のＬＥＤ素子５１のカソードと第２のＬＥＤ素子５２のアノードとが接続されている。第１のＬＥＤ素子５１のアノードと第２のＬＥＤ素子５２のカソードの接続点がＬＥＤ駆動電流供給用の端子５３に接続され、第１のＬＥＤ素子５１のカソードと第２のＬＥＤ素子５２のアノードの接続点がＬＥＤ駆動電流供給用の端子５４に接続されている。端子５３から端子５４側へ駆動電流が供給されたときには、第１のＬＥＤ素子５１が発光し、端子５４から端子５３側へ駆動電流が供給されたときには、第２のＬＥＤ素子が発光する。【選択図】  図１
2005340344.tif 000002
【特許請求の範囲】
【請求項１】
第１の発光ダイオードと第２の発光ダイオードの少なくとも二つの発光ダイオードを有し、
上記第１の発光ダイオードのアノードと上記第２の発光ダイオードのカソードとが接続され、且つ、上記第１の発光ダイオードのカソードと上記第２の発光ダイオードのアノードとが接続され、上記第１の発光ダイオードのアノードと第２の発光ダイオードのカソードの接続点と、上記第１の発光ダイオードのカソードと上記第２の発光ダイオードのアノードの接続点とに、発光ダイオード駆動用電流が供給される電流供給端子を設けてパッケージ化して成る
ことを特徴とする発光デバイス。
【請求項２】
請求項１記載の発光デバイスであって、
上記パッケージを構成する複数の面のうち所定の同一面上に、上記第１の発光ダイオードと上記第２の発光ダイオードを配して成ることを特徴とする発光デバイス。
【請求項３】
請求項１記載の発光デバイスであって、
上記パッケージを構成する複数の面のうち所定の第１の面上に上記第１の発光ダイオードを配し、上記第２の発光ダイオードを上記所定の第１の面とは異なる別の第２の面上に配して成ることを特徴とする発光デバイス。
【請求項４】
請求項１記載の発光デバイスであって、
上記第１の発光ダイオードは可視光を出射する発光ダイオードであり、
上記第２の発光ダイオードは赤外線を出射する発光ダイオードであることを特徴とする発光デバイス。
【請求項５】
第１の発光ダイオードと第２の発光ダイオードの少なくとも二つの発光ダイオードを有し、上記第１の発光ダイオードのアノードと上記第２の発光ダイオードのカソードとが接続され、且つ、上記第１の発光ダイオードのカソードと上記第２の発光ダイオードのアノードとが接続され、上記第１の発光ダイオードのアノードと第２の発光ダイオードのカソードの接続点と、上記第１の発光ダイオードのカソードと上記第２の発光ダイオードのアノードの接続点とに、発光ダイオード駆動用電流が供給される電流供給端子を設けてパッケージ化して成る発光デバイスと、
上記発光デバイスに対し上記発光ダイオード駆動用電流を供給する駆動回路と、
所定の機能を実行する機能実行手段とを有する
ことを特徴とする携帯型電子装置。
【請求項６】
請求項５記載の携帯型電子装置であって、
少なくとも一つの上記発光デバイスを保持する発光デバイス保持手段と、
上記発光デバイス保持手段を回動自在に収納する収納手段と、
上記収納手段内で上記発光デバイス保持手段を回動させる回転手段とを有することを特徴とする携帯型電子装置。
【請求項７】
請求項６記載の携帯型電子装置であって、
上記発光デバイスは、上記パッケージを構成する複数の面のうち所定の同一面上に、上記第１の発光ダイオードと上記第２の発光ダイオードを配して成り、
上記機能実行手段は、画像を撮影する機能を備えたカメラ部と、画像を表示する機能を備えた液晶表示部とを有し、
上記収納手段は、少なくとも、上記カメラ部による撮影方向へ上記発光デバイスからの光を出射可能な開口部と、上記液晶表示部の液晶デバイスへのバックライト入射側面方向へ上記発光デバイスからの光を出射可能な開口部とを備えており、
上記回転手段は、上記発光デバイス保持手段が保持している上記発光デバイスの光出射方向を、上記収納手段の何れか一方の開口部へ向けるように上記発光デバイス保持手段を上記収納手段内で回動させることを特徴とする携帯型電子装置。
【請求項８】
請求項５記載の携帯型電子装置であって、
上記機能実行手段は、画像を撮影する機能を備えたカメラ部と、使用者による半透明キーボタンへの操作入力を受け付ける機能を備えた操作部とを有し、
上記発光デバイスは、上記パッケージを構成する複数の面のうち所定の第１の面上に上記第１の発光ダイオードを配し、上記第２の発光ダイオードを上記所定の第１の面とは異なる別の第２の面上に配して成ると共に、上記第１の発光ダイオードを備えた第１の面が上記半透明キーボタンの側面方向に向けられ、上記第２の発光ダイオードを備えた第２の面が上記カメラ部の撮影方向に向けられて配置されており、
当該装置の筐体は、上記第２の発光ダイオードに対応した位置で且つ上記カメラ部の撮影方向へ向けた開口部を有することを特徴とする携帯型電子装置。
【請求項９】
請求項５記載の携帯型電子装置であって、
上記発光デバイスの上記第１の発光ダイオードは可視光を出射する発光ダイオードであり、上記第２の発光ダイオードは赤外線を出射する発光ダイオードであることを特徴とする携帯型電子装置。
【請求項１０】
請求項５記載の携帯型電子装置であって、
上記機能実行部は、少なくとも無線通話が可能な通信機能を備えていることを特徴とする携帯型電子装置。
【発明の詳細な説明】
【技術分野】
【０００１】
本発明は、いわゆるＬＥＤ（Light Emitting Diode）を有する発光デバイスとその発光デバイスを備えた携帯型電子装置に関する。
【背景技術】
【０００２】
携帯型電子装置の一例である携帯電話端末は、例えば、使いやすさの観点、デザイン的な観点、高い視認性への要求、多機能化への要求などにより、画像等の表示手段としてメイン液晶とサブ液晶の二つの液晶デバイスを備えていることが多く、また、殆どの端末がカメラ機能を内蔵している。
【０００３】
ここで、メイン液晶デバイスやサブ液晶デバイスのバックライト用光源には、通常、ＬＥＤ（以下、バックライト用ＬＥＤと呼ぶ）が用いられている。また、カメラ機能を内蔵している端末の場合、撮影補助光用の光源を備えていることが多く、その光源にもＬＥＤ（以下、撮影補助ライト用ＬＥＤと呼ぶ）が用いられている。その他、携帯電話端末には、着信をユーザに知らせるための着信ランプ用のＬＥＤ（以下、着信ランプ用ＬＥＤと呼ぶ）や、電話番号等の入力に用いられるテンキー等のキーボタンを明るく発光させるためのＬＥＤ（以下、キー点灯用ＬＥＤと呼ぶ）や、充電中にその旨をユーザに知らせるための充電ランプ用のＬＥＤ（以下、充電ランプ用ＬＥＤと呼ぶ）など、非常に多くのＬＥＤが搭載されている。
【０００４】
また、上述のようにＬＥＤを搭載した場合、一般に、ＬＥＤへの逆方向の電圧印加による破壊から当該ＬＥＤを保護するための保護回路を設けることが望ましいとされている。
【０００５】
図１０には、一つのＬＥＤと、そのＬＥＤへの逆方向の電圧印加による破壊から当該ＬＥＤを保護するための保護ダイオードとからなる回路構成の一例を示す。
【０００６】
この図１０において、ＬＥＤ素子１２１には、極性を逆にした保護ダイオード（一般にツェナダイオード等が用いられる）１２２が並列に接続されている。また、端子１２３は、ＬＥＤ素子１２１のアノード側及び保護ダイオード１２２のカソード側に接続され、端子１２４は、ＬＥＤ素子１２１のカソード側及び保護ダイオード１２２のアノード側に接続されている。
【０００７】
この図１０に示すような構成によれば、端子１２４側から端子１２３側へ電圧が印加された場合、つまりＬＥＤ素子１２１に対して逆方向に電圧が印加された場合において、当該逆方向電圧が或る一定の電圧以上になると保護ダイオード１２２がオンすることになる。保護ダイオード１２２がオンすると、電流は当該保護ダイオード１２２を通って端子１２４側から端子１２３側へ流れ、これによりＬＥＤ素子１２１の破壊が阻止されることになる。
【０００８】
なお、特開平１０−２５６６１０号の公開特許公報（特許文献１）には、逆方向電圧印加による破壊からＬＥＤチップを保護するための保護ダイオードチップを、ＬＥＤチップと同パッケージ内に搭載した半導体発光素子が開示されている。
【０００９】
【特許文献１】特開平１０−２５６６１０号公報（第１図）
【発明の開示】
【発明が解決しようとする課題】
【００１０】
ところで、近年、携帯型電子装置に対しては、より一層の小型化が望まれており、そのため、装置製造メーカでは、少しでも実装面積を少なくし、筐体サイズを小さくすることについての研究開発が行われている。
【００１１】
特に、携帯電話端末の場合は、上述したように、液晶デバイスのバックライト用ＬＥＤや、キー点灯用ＬＥＤ、着信ランプ用ＬＥＤ、充電ランプ用ＬＥＤ、撮影補助ライト用ＬＥＤなど、非常に多くのＬＥＤを搭載しており、それら各ＬＥＤに複数の機能を兼用させることで、実装面積の低減、筐体サイズの小型化、さらにはコストの削減を図っている。
【００１２】
すなわち、携帯電話端末には、様々な用途に使えるＬＥＤということで、Ｒ（赤），Ｇ（緑），Ｂ（青）の光三原色光を各々発光可能なＬＥＤデバイス（以下、３色ＬＥＤデバイスと呼ぶ）を搭載し、その３色ＬＥＤデバイスを、例えば着信ランプ用ＬＥＤ、充電ランプ用ＬＥＤ、撮影補助ライト用ＬＥＤとして兼用することにより、ＬＥＤ素子の搭載個数を削減し、それにより実装面積の低減、筐体サイズの小型化、コストの削減を実現している。
【００１３】
しかしながら、Ｒ，Ｇ，Ｂの３色ＬＥＤデバイスによって上述のような複数の機能を兼用した場合、その弊害として、以下のような問題が発生する虞がある。例えば、最も多く使用されると考えられる充電ランプ用ＬＥＤとして例えばＲ光ＬＥＤだけを長時間点灯させた場合、上記Ｒ，Ｇ，Ｂの各ＬＥＤのうち、Ｒ光のＬＥＤの寿命が他のものより相対的に短くなり、Ｒ光のスペクトラムだけが劣化してしまうようになる。すなわち、このようにＲ光のＬＥＤの寿命が短くなってしまっている状態で、当該３色ＬＥＤデバイスを例えば撮影補助ライト用ＬＥＤのように白色光の光源として利用しようとした場合、Ｒ光のスペクトラムだけが劣化してしまっているため良好な白色光を得ることができなくなってしまう。勿論、このような弊害は、３色ＬＥＤから白色光を発光させる場合のみならず、他の色で発光させる場合にも同様に発生することになる。
【００１４】
本発明は、このような課題に鑑みてなされたものであり、ＬＥＤデバイスに複数の機能を兼用させることによる実装面積の低減、筐体サイズの小型化、コストの削減の効果を維持しつつ、例えば使用頻度の高いＬＥＤの劣化による弊害を少なくし、さらには、逆方向電圧印加による破壊からＬＥＤを保護することをも可能とする、発光デバイス及び携帯型電子装置を提供することを目的とする。
【課題を解決するための手段】
【００１５】
本発明の発光デバイスは、第１の発光ダイオードと第２の発光ダイオードの少なくとも二つの発光ダイオードを有し、第１の発光ダイオードのアノードと第２の発光ダイオードのカソードとが接続され、且つ、第１の発光ダイオードのカソードと第２の発光ダイオードのアノードとが接続され、第１の発光ダイオードのアノードと第２の発光ダイオードのカソードの接続点と、第１の発光ダイオードのカソードと第２の発光ダイオードのアノードの接続点とに、発光ダイオード駆動用電流が供給される電流供給端子を設けてパッケージ化することにより、上述した課題を解決する。
【００１６】
また、本発明の携帯型電子装置は、本発明の発光デバイスを有することにより、上述した課題を解決する。
【００１７】
すなわち、本発明によれば、二つの発光ダイオードのアノードとカソードを接続することで、一方を他方の保護ダイオードとして機能させると共に、何れの方向から駆動電流を供給しても何れか一方の発光ダイオードが発光するようにしている。
【発明の効果】
【００１８】
本発明においては、第１の発光ダイオードのアノードと第２の発光ダイオードのカソードとを接続すると共に、第１の発光ダイオードのカソードと第２の発光ダイオードのアノードとを接続することにより、実装面積の低減、筐体サイズの小型化、コストの削減の効果を維持しつつ、例えば使用頻度の高い発光ダイオードの劣化による弊害を少なくでき、さらに、逆方向電圧印加による破壊から発光ダイオードを保護可能となる。
【発明を実施するための最良の形態】
【００１９】
以下、図面を参照しながら、本発明の発光デバイス及び携帯型電子装置の一実施形態について説明する。なお、本実施形態では、本発明の携帯型電子装置の一例として、携帯電話端末を挙げているが、勿論、ここで説明する内容はあくまで一例であり、本発明はこの例に限定されないことは言うまでもない。
【００２０】
〔発光デバイスの概略的な内部回路構成〕
図１には、本発明実施形態の発光デバイスの概略回路構成を示す。
【００２１】
図１において、本実施形態の発光デバイスは、第１のＬＥＤ素子５１と、当該第１のＬＥＤ素子５１に対して極性を逆にした第２のＬＥＤ素子５２とが並列に接続されている。すなわち、第１のＬＥＤ素子５１のアノードと第２のＬＥＤ素子５２のカソードとが接続され、且つ、第１のＬＥＤ素子５１のカソードと第２のＬＥＤ素子５２のアノードとが接続されている。また、端子５３は、第１のＬＥＤ素子５１のアノード側及び第２のＬＥＤ素子５２のカソード側に接続され、端子５４は、第１のＬＥＤ素子５１のカソード側及び第２のＬＥＤ素子５２のアノード側に接続されている。そして、本実施形態の場合、これら第１，第２のＬＥＤ素子５１，５２は一つのＬＥＤパッケージ内に納められている。
【００２２】
この図１に示すような構成によれば、端子５３側から端子５４側へ電流を流した場合には第１のＬＥＤ素子５１が発光し、一方、端子５４側から端子５３側へ電流を流した場合には第２のＬＥＤ素子５２が発光することになる。すなわち、図１の構成によれば、端子５３側から端子５４側へ電流を流した場合であっても、また、端子５４側から端子５３側へ電流を流した場合であっても、つまり、どちら側から電流を流した場合であっても、必ず何れか一方のＬＥＤ素子が点灯することになる。
【００２３】
したがって、例えば、第１のＬＥＤ素子５１を白色ＬＥＤとし、第２のＬＥＤ素子５２を赤色ＬＥＤ素子とした場合、端子５３側から端子５４側に電流を流した時には白色ＬＥＤ（第１のＬＥＤ素子５１）が点灯することになり、逆に、端子５４側から端子５３側に電流を流した時には赤色ＬＥＤが点灯することになる。すなわち、本実施形態の発光デバイスによれば、ＬＥＤパッケージへ供給する電流の向きを切り替えるだけで、白色光又は赤色光を得ることができるようになる。そして、本実施形態の発光デバイスを例えば携帯電話端末に搭載した場合、上記白色ＬＥＤは、例えば撮影補助光用の光源や液晶デバイスのバックライト光用の光源などに利用でき、上記赤色ＬＥＤは、例えば充電ランプ用の光源として使用することができるようになる。また、本実施形態の場合、赤色ＬＥＤと白色ＬＥＤは別のＬＥＤであるため、例えば赤色ＬＥＤのみを長時間点灯させた場合であっても、上記白色ＬＥＤからの白色光を構成する各スペクトラムには何ら影響がなく、良好な白色光が得られることになる。なお、上記白色ＬＥＤとしては、例えば青色ＬＥＤにＹＡＧ（イットリウム・アルミニウム・ガーネット）蛍光体を塗布したものなどを用いることができる。
【００２４】
また、この図１の構成によれば、端子５４側から端子５３側へ電圧が印加されて、第１のＬＥＤ素子５１に逆方向に電圧が印加された場合は、第２のＬＥＤ素子５２を電流が通ることになるため、当該逆方向電圧の印加により第１のＬＥＤ素子５１が破壊されることはない。同様に、端子５３側から端子５４側へ電圧が印加されて、第２のＬＥＤ素子５２に逆方向に電圧が印加された場合は、第１のＬＥＤ素子５１を電流が通ることになるため、当該逆方向電圧の印加により第２のＬＥＤ素子５２が破壊されることはない。なお、前述した図１０の例の保護ダイオード１２２は、単純にＬＥＤ素子１２１への逆方向電圧印加に起因する素子破壊を防ぐだけの機能しか備えておらず、保護ダイオード１２２が特別な役割を果たすことはないのに対して、本実施形態の構成の場合、第１，第２のＬＥＤ素子５２は、それぞれが発光機能と共に他方のＬＥＤの破壊防止の機能を備えている。
【００２５】
図１の例では、ＬＥＤ素子を二つ用いているが、各列の使用電圧ＶＦに極端な差異が生じない限り、二つ以上の複数個のＬＥＤ素子を組み合わせることも可能である。
【００２６】
図２には、本発明実施形態の発光デバイスのＬＥＤパッケージ６１の概略構成を示す。
【００２７】
本実施形態のＬＥＤパッケージ６１の両端部には、端子６２と端子６３が設けられている。端子６２と端子６３は、図示しない回路基板上のランドに半田付けにより接続される部分である。
【００２８】
端子６２上にはＬＥＤ素子６４が設けられており、当該ＬＥＤ素子６４のｐ型電極６５は、ワイヤーボンディングにより端子６３と接続されており、また、当該ＬＥＤ素子６４のｎ型電極６６は、ワイヤーボンディングにより端子６２と接続されている。
【００２９】
同様に、端子６３上にはＬＥＤ素子６７が設けられており、当該ＬＥＤ素子６７のｐ型電極６８は、ワイヤーボンディングにより端子６２と接続されており、また、当該ＬＥＤ素子６７のｎ型電極６９は、ワイヤーボンディングにより端子６３と接続されている。
【００３０】
この図２に示す構成のＬＥＤパッケージ６１によれば、二つのＬＥＤ素子６４，６７が一つのＬＥＤパッケージ６１内に封入されており、また、これら二つのＬＥＤ素子６４，６７のうち、必ずどちらかのＬＥＤ素子のｐ型電極からｎ型電極に電流が流れることになる。
【００３１】
次に、図３には、上述した本発明実施形態の発光デバイス５０の第１，第２のＬＥＤ素子５１，５２を駆動する駆動回路の概略構成を示す。この図３は、本実施形態のような両極性のＬＥＤ素子５１，５２に対して、電流を流す方向をスイッチングする所謂Ｈブリッジ回路構成を示している。
【００３２】
この図３において、本実施形態の駆動回路は、大別して、四つのダイオード７１，７２，７３，７４と、四つのＮＰＮ型トランジスタ７５，７６，７７，７８と、電源８３とで構成されている。
【００３３】
ダイオード７１のカソードは電源８３の正極と接続され、アノードはダイオード７２のカソードと接続されている。ダイオード７２のアノードは電源８３の負極と接続されている。そして、ダイオード７１のアノードとダイオード７２のカソードとの間の接続点は、発光デバイス５０の端子５３と接続されている。また、ダイオード７３のカソードは電源８３の正極と接続され、アノードはダイオード７４のカソードと接続されている。ダイオード７４のアノードは電源８３の負極と接続されている。そして、ダイオード７３のアノードとダイオード７４のカソードとの間の接続点は、発光デバイス５０の端子５４と接続されている。
【００３４】
一方、トランジスタ７５のベースは端子７９と接続され、エミッタはトランジスタ７６のコレクタと接続され、コレクタは電源８３の正極に接続されている。トランジスタ７６のベースは端子８０と接続され、エミッタは電源８３の負極に接続されている。そしてトランジスタ７５のエミッタとトランジスタ７６のコレクタとの間の接続点は発光デバイス５０の端子５３と接続されている。また、トランジスタ７７のベースは端子８１と接続され、エミッタはトランジスタ７８のコレクタと接続され、コレクタは電源８３の正極に接続されている。トランジスタ７８のベースは端子８２と接続され、エミッタは電源８３の負極に接続されている。そしてトランジスタ７７のエミッタとトランジスタ７８のコレクタとの間の接続点は発光デバイス５０の端子５４と接続されている。
【００３５】
ここで、トランジスタ７５とトランジスタ７８のベースにそれぞれ駆動制御電圧が供給されてこれらトランジスタ７５，７８がオンし、一方、トランジスタ７６と７７がそれぞれオフとなっている場合、発光デバイス５０の端子５３側から端子５４側へ電流が流れ、第１のＬＥＤ素子５１が発光することになる。逆に、トランジスタ７６とトランジスタ７７のベースにそれぞれ駆動制御電圧が供給されてこれらトランジスタ７６，７７がオンし、一方、トランジスタ７５と７８がそれぞれオフとなっている場合、発光デバイス５０の端子５４側から端子５３側へ電流が流れ、第２のＬＥＤ素子５２が発光することになる。また、トランジスタ７６とトランジスタ７８のベースにそれぞれ駆動制御電圧が供給されてこれらトランジスタ７６，７８がオンし、一方、トランジスタ７５と７７がそれぞれオフとなっている場合、発光デバイス５０の端子５３と端子５４間はゼロ電圧に保持されることになる。
【００３６】
この図３に示す回路構成によれば、四つのトランジスタ７５，７６，７７，７８のベースへの電圧供給を制御することにより、発光デバイス５０の端子５３側から端子５４側へ電流を流したり、逆に端子５４側から端子５３側へ電流を流したりすることができ、それにより、発光デバイス５０内の第１，第２のＬＥＤ素子５１，５２の何れを点灯させるかを、自由に選択制御することができる。
【００３７】
〔携帯電話端末の概略構成〕
図４と図５には、本発明実施形態の発光デバイスを搭載した携帯型電子装置の一例としての携帯電話端末の外観を示す。なお、図４は、本発明実施形態の携帯電話端末を正面側から観た概略外観図を示し、図５には、背面側から観た概略外観図を示している。
【００３８】
本実施の形態の携帯電話端末は、例えば第１の筐体１と第２の筐体２を有し、ヒンジ部６を介して第１の筐体１と第２の筐体２が折り重なるように二つ折り可能になされた、いわゆる折り畳み式の携帯電話端末であり、図４，図５は当該携帯電話端末を開いた状態を示している。
【００３９】
図４に示すように、第１の筐体１には、例えば液晶デバイスにより構成されたメインディスプレイ３や受話用のスピーカ５、ユーザが例えば自分自身を撮影する際に使用されるカメラ部（以下、自分撮り用カメラ部と呼ぶ）１０等が備えられている。また、図５に示すように、第１の筐体１の背面側には、液晶デバイスにより構成されたサブディスプレイ２０やカメラ部２１、当該カメラ部２１にて撮影する際の撮影補助光を発光する撮影補助ライト用ＬＥＤ２２等が備えられている。さらに、本実施形態の携帯電話端末には、図４に示すように、上記メインディスプレイ３のバックライト用の光源、及び、カメラ部１０にて撮影を行う際の撮影補助光用の光源として兼用される発光機構１９が備えられている。当該発光機構１９の詳細については後述する。
【００４０】
一方、第２の筐体２には、携帯電話端末の主要な回路構成が内蔵されている。この第２の筐体２の上面（折り畳んだ際に第１の筐体１のディスプレイ面と対向する面）には、電話番号や文字等を入力するためのキーボタンであるテンキー（１２キー）４や、発話キー、クリアキー、終話／電源キーなどの各キー、ジョグダイアル部８等からなる操作部と、送話用のマイクロホン７等が設けられている。また、本実施形態の携帯電話端末において、テンキー４等のキーボタンは例えば半透明部材により構成されており、さらに、図示は省略するが、第２の筐体２には、上記キーボタンに対して例えば側面側から光を照射することにより当該キーボタンを点灯させるためのキー点灯用光源が内蔵されている。なお、ジョグダイアル部８は、例えば円筒形の回転ダイアルと、その回転ダイアルの長尺方向の両端部にそれぞれ配される左押下キー，右押下キーと、回転ダイアルが押下操作されたことを検出するための図示しない押下検出部等により構成されている。
【００４１】
なお、携帯電話端末が通常備えているその他の構成の図示及びその説明については省略する。
【００４２】
〔発光機構の概略的な外観構成例〕
図６には、図４に示した携帯電話端末の第１の筐体１内に設けられる本実施形態の発光機構１９の具体的構成例を示す。
【００４３】
図６及び図４において、本実施形態の発光機構１９は、大別して、ユーザにより図４中の矢印Ｒ方向に回転操作される回転摘み部１２と、第１の筐体１に固定される固定部９３と、上記回転摘み部１２の回転動作に応じて回転すると共に前述した本実施形態の発光デバイス５０を各々備えた複数の発光部１３が配される回転部９６とにより構成されている。
【００４４】
回転部９６は、円筒形状を成し、図４の第１の筐体１のメインディスプレイ３の上側及び自分撮り用カメラ１０の近傍に設けられている長方形収納部１１内に回動自在に納められている。また、当該回転部９６は、フレキシブル基板９７により当該携帯電話端末内の図示しない回路基板と接続されている。当該携帯電話端末内の回路基板からは、上記フレキシブル基板９７を介して、各発光部１３の発光デバイス内に設けられているＬＥＤへ駆動電流が供給されるようになっている。
【００４５】
回転摘み部１２には軸９２の一方の端部が固定され、また、当該軸９２の他方の端部は固定部９３を回動自在に貫通した状態で上記回転部９６に固定されている。これにより、回転部９６は、回転摘み部１２の回転動作に応じて回転することになる。一方、固定部９３は、第１の筐体１に固定されているため、上記回転摘み部１２と共に回転することはない。さらに当該固定部９３には、円周の四分の一程度の大きさとなされた切り欠き部９４が設けられている。
【００４６】
また、回転摘み部１２の上記軸９２が設けられている側の外周部近傍には、一方の端部が当該回転摘み部１２に固定された例えば円柱状の棒状部材９１が配されている。当該棒状部材９１は、その先端部分が上記固定部９３の切り欠き部９４内に位置するだけの長さを有している。したがって、上記回転摘み部１２が回転操作された場合における上記棒状部材９１の可動範囲は、上記固定部９３の切り欠き部９４の内部範囲のみとなる。すなわち言い換えると、上記固定部９３の切り欠き部９４は、上記棒状部材９１の可動範囲規制手段となっており、したがって、上記回転摘み部１２が回転操作された場合における上記回転部９６の回転角度は、上記棒状部材９１の可動範囲と対応した角度となる。
【００４７】
さらに、本実施形態の携帯電話端末の長方形収納部１１には、図４に示すように、カメラ部１０により撮影がなされる際の撮影方向へ上記発光デバイスのＬＥＤ光を出射可能な開口部が設けられていると共に、メインディスプレイ３のバックライト光の入射方向へ上記発光デバイスのＬＥＤ光を出射可能な開口部（図示は省略する）が設けられている。
【００４８】
そして、発光機構１９は、図６に示したような構成を有することにより、上記回転摘み部１２の回転操作に応じて、例えば図４に示すように上記発光部１３が正面側つまり自分撮り用カメラ部１０のレンズによる撮影方向側に向けられる状態と、上記発光部１３がメインディスプレイ３の側面に向けられる状態とを取り得る。すなわち、図４に示すように上記発光部１３が正面側に向けられた場合、当該発光部１３からの光は自分撮り用カメラ部１０のレンズによる撮影方向側に出射することになり、そして、この状態で、発光部１３から例えば白色光等の所望の色の光を出力するように本実施形態の発光デバイスのＬＥＤの点灯制御を行うことにすれば、当該発光部１３からの光は、上記カメラ部１０による撮影時の撮影補助光として用いることができるようになる。一方、上記発光部１３がメインディスプレイ３の側面に向けられ、そして、この状態で、発光部１３から白色光等の所望の色の光を出力するように発光デバイスのＬＥＤの点灯制御を行えば、当該発光部１３からの光は、メインディスプレイ３のバックライト光として用いることができるようになる。
【００４９】
なお、上述の説明では、例えば図４に示すように上記発光部１３が正面側に向けられた時の当該発光部１３からの光を、撮影補助光用に用いた例を挙げているが、勿論、他の用途、例えば着信ランプや充電ランプ用に利用するようにし、それら着信ランプや充電ランプを様々な色で点灯させるようにしても良い。
【００５０】
また、図６の例では、ユーザが回転摘み部１２を回転操作することで回転部９６を回転させる例を挙げたが、例えばモータやその他の駆動手段により回転部９６を自動的に回転させても良い。
【００５１】
〔発光機構の他の例〕
図４，図６には、回転摘み部１２の回転操作に応じて光の向きを変える例を挙げたが、本実施形態の発光デバイスは、図７に示すように、第１のＬＥＤ素子５１と第２のＬＥＤ素子を、ＬＥＤパッケージ１００上の異なる面上に配置したものであっても良い。
【００５２】
この図７の例において、第１のＬＥＤ素子５１と第２のＬＥＤ素子５２は、ＬＥＤパッケージ１００の異なる面上に設けられている。また、当該ＬＥＤパッケージ１００を内包するＬＥＤモールド１１０の第１の側壁面１０３には、第１のＬＥＤ素子５１からの光出射用の開口部１０１が設けられ、また、第１の側壁面１０３に対して所定の角度（例えば９０度）で形成されている第２の側壁面１０４には、第２のＬＥＤ素子５２からの光出射用の開口部１０２が設けられている。
【００５３】
そして、この図７の構成において、例えば、上記第１の側壁面１０３が携帯電話端末の正面側つまり図４のカメラ部１０のレンズによる撮影方向側に向けられ、上記第２の側壁面１０４が例えばメインディスプレイ３の側面に向けられていれば、図６の例のような回転動作のための機構を用意しなくても、第１のＬＥＤ素子５１からの光をカメラ部１０による撮影時の撮影補助光として用いることができ、且つ、第２のＬＥＤ素子５２からの光をメインディスプレイ３のバックライト光として用いることができるようになる。
【００５４】
また、本実施形態のＬＥＤモールド１１０は、例えば、図８に示すように、半透明部材で構成されているテンキー４等のキーボタンに対して側面側から光を照射することにより当該キーボタンを点灯させるためのキー点灯用光源、及び、カメラ部１０にて撮影を行う際の撮影補助光用の光源として兼用することも可能である。なお、図８の例では、本実施形態のＬＥＤモールド１１０をキー点灯用光源と撮影補助光用の光源に兼用することにしたため、カメラ部１０を第２の筐体２の近傍側に配置した例を示している。
【００５５】
この図８の例において、第２の筐体２の各キーボタンの近傍には、撮影補助光を出射するための複数の開口部１５が設けられており、これら各開口部１５内に本実施形態のＬＥＤモールド１１０がそれぞれ配置されている。そして、この例の場合、ＬＥＤモールド１１０の例えば第２のＬＥＤ素子５２からの光が各キーボタンの点灯用に用いられ、一方、第１のＬＥＤ素子５１からの光が撮影補助光用に用いられる。
【００５６】
このように、図７のＬＥＤモールド１１０をキー点灯用光源と撮影補助光源で兼用させるようにした場合、第２の筐体２に対する新たな加工は、上記第１のＬＥＤ素子５１からの光を外部に出力するための複数の開口部１５を設けるだけでよく、さらにこの例の場合、複数のＬＥＤモールド１１０が搭載されることになるので、明るさの強い光源を実現でき、自分撮り用カメラ部１０の撮影補助光源として最も期待することができる。
【００５７】
〔携帯電話端末の内部回路構成〕
次に、図９には、本発明実施形態の携帯電話端末の概略的な内部構成を示す。
【００５８】
アンテナ３２は、例えば内蔵アンテナであり通話やパケット通信のための信号電波の送受信を行う。通信回路３３は、送受信信号の周波数変換、変調と復調等を行う。なお、パケット通信により送受信されるデータは、画像データや電子メール、プログラムデータ、その他の各種データである。
【００５９】
受信された通話音声のデータは、データラインを介して制御部３１へ送られる。制御部３１は、ＣＰＵ（中央処理装置）からなり、通話音声データを復号化し、その復号化後の音声データをデータラインを介してスピーカ３８へ送る。
【００６０】
スピーカ３８は、前述した受話用のスピーカ５やリンガ用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。
【００６１】
一方、マイクロホン３９は、送話用のマイクロホン７に対応し、アナログ／ディジタル変換器と増幅器を含む。このマイクロホン３９を介して入力された通話音声信号は、増幅器により所定のレベルに増幅された後、アナログ／ディジタル変換器によりディジタル音声データに変換され、データラインを介して制御部３１へ送られて符号化された後、通信回路３３へ送られる。
【００６２】
表示制御部４４は、第１の筐体１のメインディスプレイ３であるメイン表示部４３とサブディスプレイ２０であるサブ表示部４５の表示を制御する。
【００６３】
操作部３５は、第２の筐体２の操作部に対応し、キーやジョグダイアル部、それらの操作に応じた操作信号を発生する操作信号発生部を有している。
【００６４】
メモリ３６は、ＲＯＭ（Read Only Memory）とＲＡＭ（Random Access Memory）を含む。ＲＯＭは、制御部３１が各部を制御するための制御プログラムや各種の初期設定値、フォントデータ、辞書データ、本実施形態における発光デバイスのＬＥＤ点灯制御を行うためのプログラムコード、電子メールの作成や編集等を行うためのアプリケーション用のプログラムコード、画像に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、カメラ部により撮影された写真画像データ、ダウンロードされた写真データや着信音データ、文字データや予測変換の候補単語の登録データや予測変換の学習データ、その他、各種のユーザ設定値等を保存することも可能となされている。ＲＡＭは、制御部３１が各種のデータ処理を行う際の作業領域として、随時データを格納する。
【００６５】
ＬＥＤ部４２は、本実施形態のＬＥＤ素子を備えた発光デバイスと、その発光デバイスのＬＥＤ素子に駆動電流を供給する駆動回路とからなる。
【００６６】
制御部３１は、上述した通話音声データの符号化や復号化の他、制御ラインを介して当該携帯電話端末の各構成要素の制御等、各種の演算処理を行う。また、本実施形態の場合、制御部３１は、必要に応じて、上記ＬＥＤ部４２の駆動回路を制御することで、発光デバイスのＬＥＤ点灯制御を行う。
【００６７】
その他、図９には図示を省略しているが、本実施形態の携帯電話端末は、各部に電力を供給する電源回路や、音楽の録音や再生を行うための音楽録音再生部、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナなどを備えている。
【００６８】
〔まとめ〕
以上説明したように、本実施形態の発光デバイスによれば、互いに逆向きにＬＥＤ素子を並列に並べて接続することにより、逆方向から電流が流された場合においても、ＬＥＤ素子が破壊されることがない。また、本実施形態の発光デバイスによれば、複数ＬＥＤ素子が同一パッケージ内に配されることにより、実装面積を減らすことができ、また、複数のパッケージに分けて製造する場合のような余分な費用が不要でコストダウンが可能となる。さらに、本実施形態の発光デバイスによれば、ＬＥＤ機能の兼用による特定のＬＥＤ素子の寿命短縮や特定光のスペクトラム劣化を防ぐことができる。
【００６９】
また、本実施形態の携帯電話端末によれば、本発明実施形態の発光デバイスを搭載することにより、バックライト用、撮影補助ライト用、着信ランプ用、充電ランプ用等の複数の光源を少ない発光デバイス数により実現することができる。特に、例えば自分撮り用カメラ部１０を新たに設けるような場合であっても、その自分撮り用カメラ部１０のみのための撮影補助ライトを新たに設ける必要がなくなる。すなわち、ユーザが例えば自分自身をカメラにより撮影するような用途において、自分撮り用カメラ部１０の撮影補助光用の光源を新たに搭載するようなことは、ＬＥＤをドライブするためのポートを新たに設けなければならないことや、コストアップ、サイズアップ、デザイン的な制約などにより、従来の携帯電話端末では殆ど実現されていないが、本発明実施形態の携帯電話端末によれば、コストアップ、サイズアップ、デザイン的な制約を回避しつつ、自分撮り用カメラ部１０の撮影補助光用の光源を実現している。
【００７０】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。例えば、本発明の携帯型電子装置は、携帯電話端末だけでなく、ＰＤＡ装置（PDA：Personal Digital Assistants）等であっても良い。
【００７１】
また、本発明にかかる発光デバイスのＬＥＤ素子は、可視光だけでなく赤外線光を出力するものであっても良い。この場合において、携帯型電子装置に設けられているカメラ部が赤外線を受光可能な撮像素子を有するものであれば、暗所での撮影も可能となる。また、本発明の発光デバイスは、例えば発光色を切り替える場合だけでなく、静止画像撮影時には瞬間的に大電流を流すことができるＬＥＤ素子（例えば白色）を点灯させ、動画撮影時には小電流で長時間点灯させることができるＬＥＤ素子（例えば白色）を点灯させるというような用途にも使用可能である。
【００７２】
また、上述の実施形態では、メインディスプレイ３のバックライトと自分撮り用カメラ部１０の撮影補助光用に本発明の発光デバイスを適用した例を挙げているが、本発明の発光デバイスは、サブディスプレイ２０のバックライトとカメラ部２１の撮影補助光用にも勿論適用可能である。
【図面の簡単な説明】
【００７３】
【図１】本発明実施形態の発光デバイスの概略回路構成を示す回路図である。
【図２】本発明実施形態の発光デバイスのＬＥＤパッケージ内部の概略的な構成及びワイヤボンディングの接続例を示す図である。
【図３】本発明実施形態の発光デバイスと、その発光デバイスの第１，第２のＬＥＤ素子を駆動する駆動回路の概略構成を示す回路図である。
【図４】本発明実施形態の発光デバイスを搭載した携帯電話端末を正面側から観た概略外観図である。
【図５】本発明実施形態の発光デバイスを搭載した携帯電話端末を背面側から観た概略外観図である。
【図６】本実施形態の携帯電話端末の第１の筐体内に設けられる発光機構の具体的構成例を示す外観斜視図である。
【図７】本実施形態の発光デバイスを備えたＬＥＤパッケージと、そのＬＥＤパッケージを内包したＬＥＤモールドの一例を示す図である。
【図８】本発明実施形態の発光デバイスを搭載した他の例の携帯電話端末を正面側から観た概略外観図である。
【図９】本発明実施形態の発光デバイスを搭載した携帯電話端末の内部構成を示すブロック図である。
【図１０】一つのＬＥＤと、そのＬＥＤへの逆方向の電圧印加による破壊から当該ＬＥＤを保護するための保護ダイオードとからなる従来の回路構成の一例を示す回路図である。
【符号の説明】
【００７４】
１  第１の筐体、２  第２の筐体、３  メインディスプレイ、５  スピーカ、６  ヒンジ部、７  マイクロホン、８  ジョグダイアル部、１０  自分撮り用カメラ部、１１  長方形収納部、１２  回転摘み部、１５，１０１，１０２  開口部、２０  サブディスプレイ、２１  カメラ部、２２  撮影補助ライト用ＬＥＤ、５０  発光デバイス、５１  第１のＬＥＤ素子、５２  第２のＬＥＤ素子、５３，５４，６２，６３，７９，８０，８１，８２  端子、６１，１００  ＬＥＤパッケージ、６４，６７  ＬＥＤ素子、６５，６８  ｐ型電極、６６，６９  ｎ型電極、７１，７２，７３，７４  ダイオード、７５，７６，７７，７８  ＮＰＮ型トランジスタ、８３  電源、９１  棒状部材、９２  軸、９３  固定部、９４  切り欠き部、９６  回転部、９７  フレキシブル基板、１０３  第１の側壁面、１０４  第２の側壁面、１１０  ＬＥＤモールド
【図１】
2005340344.tif 000003
【図２】
2005340344.tif 000004
【図３】
2005340344.tif 000005
【図４】
2005340344.tif 000006
【図５】
2005340344.tif 000007
【図６】
2005340344.tif 000008
【図７】
2005340344.tif 000009
【図８】
2005340344.tif 000010
【図９】
2005340344.tif 000011
【図１０】
2005340344.tif 000012